(57)【要約】【課題】  低温側で使用する際に、不必要に湯が使用されず、実際に使用する際の温度設定用回動操作部の低温側への回動角度が小さくてすむ。操作性が良い。【解決手段】  温度設定用回動操作部４を一回動方向側に回動するほど高温で他回動方向に回動するほど低温側となるように設定する。混合部１に供給する湯の供給、供給停止を行うための湯用弁７を設ける。湯用弁７が、温度設定用回動操作部４を高温側から低温側に回動して、あらかじめ設定された所定温度となる回動位置に至ると湯用弁７を閉じて混合部１への湯の供給を停止し、且つ、これを超えて低温側に更に温度設定用回動操作部４を回動しても湯用弁７の閉状態を継続し、温度設定用回動操作部４を操作して低温側からあらかじめ設定された湯用弁７を閉じる位置を越えて高温側に回動すると湯用弁７を開いて混合部１に湯を供給するように制御される。【選択図】        図１
2010031946.tif 000002
【特許請求の範囲】
【請求項１】
混合部と、該混合部に湯を供給する湯入口部と、前記混合部に水を供給する水入口部と、温度設定用回動操作部と、該温度設定用回動操作部の回動により操作され前記混合部における湯と水の混合割合を可変する混合割合可変手段と、該混合割合可変手段により混合された湯水を排出する出口部とを備え、上記温度設定用回動操作部は一回動方向側に回動するほど高温で他回動方向に回動するほど低温側となるように設定され、前記混合部に湯の供給、供給停止を行うための湯用弁を設け、該湯用弁は、温度設定用回動操作部を高温側から低温側に回動して、あらかじめ設定された所定温度となる回動位置に至ると湯用弁を閉じて混合部への湯の供給を停止し、且つ、これを超えて低温側に更に温度設定用回動操作部を回動しても湯用弁の閉状態を継続し、温度設定用回動操作部を操作して低温側から上記あらかじめ設定された湯用弁を閉じる位置を越えて高温側に回動すると上記湯用弁を開いて混合部に湯の供給を開始するようにして成ることを特徴とする湯水混合装置。
【請求項２】
前記温度設定用回動操作部の上記湯用弁による混合部への湯の供給を停止もしくは開始するあらかじめ設定された回動位置における設定温度が略３５℃〜略３８℃の範囲内の任意の温度であることを特徴とする請求項１記載の湯水混合装置。
【請求項３】
前記湯入口部に湯用弁が設けてあることを特徴とする請求項１又は請求項２記載の湯水混合装置。
【請求項４】
前記温度設定用回動操作部に弁作動部を設けると共に、前記湯用弁に被作動部を設け、温度設定用回動操作部を高温側から低温側に回動して、あらかじめ設定された所定温度となる回動位置に至ると、弁作動部により被作動部を作動して湯用弁を閉じ、且つ、これを超えて低温側に更に温度設定用回動操作部を回動しても、弁作動部による被作動部の作動を継続して湯用弁の閉状態を継続するように設定し、温度設定用回動操作部を操作して低温側から上記あらかじめ設定された湯用弁を閉じる位置を越えて高温側に回動すると、弁作動部による被作動部への作動を解除して湯用弁を開くように設定してあることを特徴とする請求項１乃至請求項３のいずれか一項に記載の湯水混合装置。
【請求項５】
前記混合部を構成するシリンダ内に混合割合可変手段を内装すると共に、シリンダの軸方向の一端部に温度設定用回動操作部を配設し、該温度設定用回動操作部をシリンダの軸方向の一端部に位置する回動中心部と、該回動中心部から上記シリンダの軸方向と交差し、且つ、シリンダの前面よりも前方に突出するハンドル部とで構成し、該温度設定用回動操作部に弁作動部を設けて成ることを特徴とする請求項４記載の湯水混合装置。
【発明の詳細な説明】
【技術分野】
【０００１】
本発明は、湯水混合装置に関するものである。
【背景技術】
【０００２】
従来から、特許文献１に示されるような湯水混合装置が知られている。この従来の湯水混合装置は、シリンダ内に湯と水の混合割合を可変する混合割合可変手段を設け、シリンダの軸方向の一端部の外側に設けた温度設定用回動操作部の回動操作により混合割合可変手段を動作させて、湯水の混合割合を変えるようにしている。
【０００３】
そして、一般に、混合割合可変手段は温調モジュールとして市場に流通しているものが使用され、この市場に流通している温調モジュールを例えば浴室の湯水混合装置に使用する場合、以下に示すような問題点がある。
【０００４】
すなわち、浴室においては、湯水混合装置を湯として使用する場合は、人の通常時の体温である略３６℃〜３７℃よりも高温の湯が使用されるものである。このように通常湯水混合装置は、略３６℃〜略３７℃以上の温度領域で使用されるが、浴室において、例えば、水で浴槽や浴室内の洗浄を行う場合のように水だけを使用する際は、温度設定用回動操作部を上記湯として使用する際の最低温度である略３７℃を越えて更に低温側に回動操作して、水に対する湯の混合割合を徐々に少なくしながら水温（例えば１８℃）に近づけるようにしている。しかしながら、これだと、水に対する湯の混合割合が少なくなるが湯も供給されてしまい、水だけを使用しようとしているのに無駄にエネルギーが消費されてしまうという問題がある。
【０００５】
また、市販の湯水混合のための温調モジュールは、温度設定用回動操作部で操作できる回動範囲が通常３００°と回動範囲が広く、最低温度、つまり、水に対する湯の混合割合が最も少ない側に回動すると操作角度が大きくなり、操作性が悪いという問題がある。
【特許文献１】特開平６−３３１０４６号公報
【発明の開示】
【発明が解決しようとする課題】
【０００６】
本発明は上記の従来の問題点に鑑みて発明したものであって、低温側で使用する際に、不必要に湯が使用されず、実際に使用する際の温度設定用回動操作部の低温側への回動角度が小さくてすみ、操作性が良くなる湯水混合装置を提供することを課題とするものである。
【課題を解決するための手段】
【０００７】
上記課題を解決するために本発明に係る湯水混合装置は、混合部１と、該混合部１に湯を供給する湯入口部２と、前記混合部１に水を供給する水入口部３と、温度設定用回動操作部４と、該温度設定用回動操作部４の回動により操作され前記混合部１における湯と水の混合割合を可変する混合割合可変手段５と、該混合割合可変手段５により混合された湯水を排出する出口部６とを備え、上記温度設定用回動操作部４は一回動方向側に回動するほど高温で他回動方向に回動するほど低温側となるように設定され、前記混合部１に供給する湯の供給、供給停止を行うための湯用弁７を設け、該湯用弁７は、温度設定用回動操作部４を高温側から低温側に回動して、あらかじめ設定された所定温度となる回動位置に至ると湯用弁７を閉じて混合部１への湯の供給を停止し、且つ、これを超えて低温側に更に温度設定用回動操作部４を回動しても湯用弁７の閉状態を継続し、温度設定用回動操作部４を操作して低温側から上記あらかじめ設定された湯用弁７を閉じる位置を越えて高温側に回動すると上記湯用弁７を開いて混合部１に湯の供給を開始するように成っていることを特徴とするものである。
【０００８】
このように温度設定用回動操作部４を高温側から低温側に回動して、あらかじめ設定された所定温度となる回動位置に至ると、湯用弁７を閉じて混合部１への湯の供給を停止し、且つ、これを超えて低温側に更に温度設定用回動操作部４を回動しても湯用弁７の閉状態を継続し、温度設定用回動操作部４を操作して低温側から上記あらかじめ設定された湯用弁７を閉じる位置を越えて高温側に回動すると、上記湯用弁７を開いて混合部１に湯を供給するようにしたことで、出口部６から水のみを出したい場合は、温度設定用回動操作部４を低温側の終端まで回動操作しなくても、あらかじめ設定された所定温度を越えて低温側に回動するだけで、水のみが吐出され、それ以上低温側に回動する必要がない。
【０００９】
また、温度設定用回動操作部４の上記湯用弁７による混合部１への湯の供給を停止もしくは開始するあらかじめ設定された回動位置における設定温度が略３５℃〜略３８℃の範囲内の任意の温度であることが好ましい。
【００１０】
このような構成とすることで、浴室において通常は人の体温よりも高い温度領域の湯を使用し、浴室で水を吐出したい場合には、人の体温よりも低い温度を越えて低温側に温度設定用回動操作部４を回動操作することで、湯から水に切り換えて水のみを供給できる。
【００１１】
また、湯入口部２に湯用弁７が設けてあることが好ましい。
【００１２】
このように、湯入口部２に湯用弁７が設けてあることで、装置の簡略化、コンパクト化が図れる。
【００１３】
また、温度設定用回動操作部４に弁作動部１２を設けると共に、前記湯用弁７に被作動部１３を設け、温度設定用回動操作部４を高温側から低温側に回動して、あらかじめ設定された所定温度となる回動位置に至ると、弁作動部１２により被作動部１３を作動して湯用弁７を閉じ、且つ、これを超えて低温側に更に温度設定用回動操作部４を回動しても、弁作動部１２による被作動部１３の作動を継続して湯用弁７の閉状態を継続するように設定し、温度設定用回動操作部４を操作して低温側から上記あらかじめ設定された湯用弁７を閉じる位置を越えて高温側に回動すると、弁作動部１２による被作動部１３への作動を解除して湯用弁７を開くように設定してあることが好ましい。
【００１４】
このように温度設定用回動操作部４に設けた弁作動部１２が湯用弁７の被作動部１３を作動するか、しないかという簡単な構成で、出口部６から水のみを出したい場合に、温度設定用回動操作部４を低温側の終端まで回動操作しなくても、あらかじめ設定された所定温度を越えて低温側に回動するだけで、水のみを吐出することができる。
【００１５】
また、混合部１を構成するシリンダ８内に混合割合可変手段５を内装すると共に、シリンダ８の軸方向の一端部に温度設定用回動操作部４を配設し、該温度設定用回動操作部４をシリンダ８の軸方向の一端部に位置する回動中心部９と、回動中心部９から上記シリンダ８の軸方向と交差し、且つ、シリンダ８の前面よりも前方に突出するハンドル部１０とで構成し、該温度設定用回動操作部４に弁作動部１２を設けることが好ましい。
【００１６】
このような構成とすることで、温度設定用回動操作部４の使用の際の実際の回動角度を狭く出来ることに加え、温度設定用回動操作部４をシリンダ８の軸方向の一端部に位置する回動中心部９と、該回動中心部９から上記シリンダ８の軸方向と交差し、且つ、シリンダ８の前面よりも前方に突出するハンドル部１０とで構成してあるので、壁の前方に湯水混合装置１１を配置した場合、市販の湯水混合のための温調モジュールの温度設定用回動操作部４の回動範囲が一般に３００°と広くても、実際の使用に当たってハンドル部１０が壁に当らないようにでき、しかも、温度設定用回動操作部４を回動した際、回動角度に応じて温度設定用回動操作部４に設けた弁作動部１２が湯用弁７の被作動部１３を作動するか、しないかという簡単な構成で、出口部６から水のみを出したい場合に、温度設定用回動操作部４を低温側の終端まで回動操作しなくても、あらかじめ設定された所定温度を越えて低温側に回動するだけで、水のみを吐出することができる。
【発明の効果】
【００１７】
本発明は、上記のように構成したので、水のみを使用する場合、温度設定用回動操作部を低温側の終端まで回動操作しなくても、あらかじめ設定された所定温度を越えて低温側に回動することにより、水のみが吐出され、それ以上低温側に回動する必要がないものであり、これにより、不必要に湯が使用されず、省エネルギー効果が優れ、また、実際に使用する際の温度設定用回動操作部の低温側への回動角度も小さくてすみ、操作性が良くなる。
【００１８】
また、温度設定用回動操作部の湯用弁による混合部への湯の供給を停止するあらかじめ設定された回動位置における設定温度が、略３５℃〜略３８℃の範囲内の任意の温度とすることで、浴室において通常は人の体温よりも高い温度領域の湯を使用し、浴室で水を吐出したい場合には、人の体温よりも低い温度を越えて低温側に温度設定用回動操作部を回動操作することで、湯から水に切り換えて水のみを供給できる。
【００１９】
また、湯入口部に湯用弁が設けてあることで、装置の簡略化、コンパクト化が図れる。
【００２０】
また、温度設定用回動操作部に弁作動部を設け、湯用弁に上記弁作動部により作動される被作動部を設けることで、簡単な構成で、出口部から水のみを出したい場合に、温度設定用回動操作部を低温側の終端まで回動操作しなくても、あらかじめ設定された所定温度を越えて低温側に回動するだけで、水のみを吐出することができる。
【００２１】
更に、温度設定用回動操作部の使用の際の実際の回動角度を狭く出来ることに加え、温度設定用回動操作部をシリンダの軸方向の一端部に位置する回動中心部と、回動中心部から上記シリンダの軸方向と交差し、且つ、シリンダの前面よりも前方に突出するハンドル部とで構成してあるので、壁の前方に湯水混合装置を配置した場合、温度設定用回動操作部は、３００°と回動範囲が広くても、実際の使用に当たってハンドル部が壁に当らないようにできる。
【発明を実施するための最良の形態】
【００２２】
以下、本発明を添付図面に示す実施形態に基いて説明する。
【００２３】
図１乃至図３には湯水混合装置１１の一実施形態が示してある。
【００２４】
湯水混合装置１１は、内部が混合部１となったシリンダ８内に、混合部１における湯と水の混合割合を可変するための混合割合可変手段５を内装してある。
【００２５】
前記シリンダ８には混合部１に湯を供給する湯入口部２と、混合部１に水を供給する水入口部３と、混合部１で混合された湯水を排出する出口部６とを備えている。
【００２６】
本発明においては、混合部１への湯の供給、供給停止を行うための湯用弁７を設けてある。
【００２７】
図１乃至図３に示す実施形態においては、湯入口部２に湯用弁７を設けた例が示してある。図１においては湯入口部２は下流側端部がシリンダ８との連通部１５となり、上流側端部が給湯管１６が接続される給湯管接続部１７となっており、連通部１５と給湯管接続部１７との中間部分に、湯用弁７を有する弁室１８が設けてある。
【００２８】
湯用弁７は、弁室１８内に設けた弁孔部１９と、弁室１８内に移動自在に内装されて弁孔部１９を開閉自在とする弁体２０とで構成してある。
【００２９】
図１、図２に示す実施形態において、弁室１８内の片側半分に筒体２１が嵌め込んであり、該筒体２１の周壁部から筒体２１内にＬ状筒部２２を一体に突設し、Ｌ状筒部２２の突出先端部の開口が弁孔部１９となっている。筒体２１の一端部は給湯管接続部１７と連通していて、上記弁孔部１９は給湯管接続部１７に連通している。また、Ｌ状筒部２２の他端部は、弁孔筒部２１の周壁部に開口してシリンダ８と連通している。
【００３０】
前記弁室１８の他の片側半部には、保持部材２３が嵌め込んであり、保持部材２３の中央部の筒状部には孔２４が設けてあり、該孔２４に弁体２０の軸部２５が移動自在にはめ込んである。弁体２０の端部は孔２４から弁孔部１９側に向けて突出しており、孔２４から突出した部分の基部が圧力受け部４１となっており、圧力受け部４１より弁部２６が突設してある。また、圧力受け部４１の前面側にはゴム製等のシール膜２７が取着してあり、シール膜２７の外周部は断面Ｕ字状をした変形自在な部分となっていて、圧力受け部４１の外周端から外に突出しており、更に、シール膜２７の最外周端が、筒体２１の端部と保持部材２３の端部との間に挟着してあって、保持部材２３の孔２４に対して移動自在な弁体２０と、保持部材２３の端部との間のシールをしている。
【００３１】
孔２４内において軸部２５に中間移動体２８の端部が接続してあり、中間移動体２８の孔２９には軸体３０の一端部が移動自在に嵌め込んであり、該軸体３０の他端部が保持部材２３の孔２４の他端部から外方に突出している。上記中間移動体２８の孔２９の端部開口２９ａは小径となっていて、軸体３０の一端部に設けた大径部３１が上記端部開口２９ａよりも大径であるため、軸体３０は孔２９に対して移動自在であるが、孔２９から抜けないようになっている。
【００３２】
軸体３０の軸方向の略中間部分には中間フランジ部３２が設けてあり、中間フランジ部３２は保持部材２３の孔２４に位置していて、孔２４の他端部の開口部よりも大径であるため、軸体３０が孔２４に対して移動自在であるが、孔２４から抜けないようになっている。
【００３３】
中間移動体２８の他端部と中間フランジ部３２との間には、コイルスプリングよりなる第１のばね材３３が介在してあり、中間移動体２８の他端部と中間フランジ部３２とが互いに離れる方向のばね力を付与してある。
【００３４】
保持部材２３にはコイルスププリングのような第２のばね材３４を介して被作動部１３が移動自在に被嵌してある。被作動部１３の端部は弁室１８に設けた開口部に嵌め込んだ外筒部３５から上記ばね材３４のばね力で外部に向けて突出しており、被作動部１３にはストッパ部３６が設けてあって、上記外筒部３５に設けた当たり部３７にストッパ部３６が当たると、それ以上被作動部１３が外部に飛び出して抜けないようになっている。また、被作動部１３には上記軸体３０の他端部が接続してある。
【００３５】
上記被作動部１３の端部の外部への突出した部分の先端部は、略半球状をなすような曲面部３８となっている。
【００３６】
上記弁体２０は、混合部１側から給湯管１６側に湯水が逆流するのを防止するための逆止弁の機能を持つもので、給湯管１６が低圧となって圧力受け部４１にかかる水圧が低くなったり、あるいは、給湯管１６側から圧力受け部４１に水圧がかかっていないときは、第１のばね材３３により、中間フランジ部３２を保持部材２３の孔２４の他端部の開口部に押し当てると共に中間移動体２８を押し、これにより弁体２０の弁部２６が弁孔部１９を閉じて逆流防止を行うようになっている。
【００３７】
一方、圧力受け部４１に給湯管１６側から所定以上の水圧がかかっている場合は、図１に示すように、上記第１のばね材３３のばね力に抗して弁体２０を移動して弁部２６が弁孔部１９を開くようになっている。
【００３８】
また、被作動部１３を第２のばね材３４に抗して押すと、第２図に示すように、軸体３０が押されて第１のばね材３３を圧縮していきながら中間移動体２８を押し、これにより給湯管１６側から圧力受け部４１に水圧がかかっていても、これに打ち勝って弁体２０の弁部２６が弁孔部１９を閉じるようになっている。
【００３９】
前記シリンダ８内に内装される混合割合可変手段５としては、市販の温調モジュールが用いられ、この混合割合可変手段５を構成する温調モジュールの一端部に、混合割合可変手段５を駆動操作するための温度設定用回動操作部４が設けてあり、該温度設定用回動操作部４はシリンダ８の軸方向の一端部の外側に配設してある。
【００４０】
温度設定用回動操作部４は、シリンダ８の軸方向の一端部に位置する回動中心部９と、該回動中心部９から上記シリンダ８の軸方向と交差し、且つ、シリンダ８の前面よりも前方に突出するハンドル部１０とで構成してある。そして、ハンドル部１０を回動中心部９を中心にして一回動方向側に回動するほど高温となり、且つ、他回動方向に回動するほど低温側となるように設定してある。図３に示す実施形態においては、前方に向けて突出するハンドル部１０を上向きとなるように矢印イ方向に回動すると、水と湯の混合割合は湯が次第に多くなって次第に高温となり、また、前方に向けて突出するハンドル部１０を下向きとなるように矢印ロ方向に回動すると、水と湯の混合割合は湯が次第に少なくなって次第に低温となるように設定してある。
【００４１】
上記温度設定用回動操作部４には、更に弁作動部１２が設けてある。図３に示す弁作動部１２は回動中心部９からハンドル部１０の突出方向と異なる方向に向けて突出してある。この弁作動部１２には傾斜面３９が設けてあり、該傾斜面３９がハンドル部１０を、高温側から低温側にあらかじめ設定された所定回動角度回動すると、被作動部１３の略半球状をした突出先端の曲面部３８に当たって、被作動部１３を押し、更に低温側に回動すると、被作動部１３が次第に押し込まれていくようになっている。
【００４２】
温度設定用回動操作部４のハンドル部１０を回動中心部９を中心として回動操作することで、水入口部３、湯入口部２から湯水混合装置１１内に流入する水と湯との混合割合を混合割合可変手段５で調整して湯温調整を行うことができるようになっている。
【００４３】
湯水混合装置１１の混合割合可変手段５で湯水の混合が調整された湯温調整済みの湯水は出口部６に送られ、出口部６に接続した出湯管４０を介して水栓装置（図示せず）に設けたカランやシャワーヘッドから吐水されるようになっている。
【００４４】
上記の構成の本発明の湯水混合装置１１は、図３（ａ）の実線のように温度設定用回動操作部４の前方に突出するハンドル部１０が水平な状態を例えば湯温４０℃となるように設定してあり、この前方に向けて突出するハンドル部１０を略水平な状態から上向きとなるように回動すると（図３（ａ）において矢印イ方向）、水と湯の混合割合は湯が４０℃の場合より次第に多くなって次第に高温となる。また、前方に向けて突出するハンドル部１０を略水平な状態から下向きとなるように回動すると（図３（ａ）において矢印ロ方向）、弁作動部１２の傾斜面３９が被作動部１３の略半球状をした突出先端の曲面部３８に当たり、被作動部１３が第２のばね材３４に抗して押されて被作動部１３が移動するので、同時に軸体３０が押されて第１のばね材３３を圧縮していきながら中間移動体２８を押す。
【００４５】
このようにしてハンドル部１０を低温側に向けて回動して、中間移動体２８を移動することで、図２に示すように、弁部２６が弁孔部１９を閉じるのであるが、本発明においては、この弁部２６が弁孔部１９を最初に閉じた時点におけるハンドル部１０の位置が、ちょうど、あらかじめ設定された浴室で使用する最低湯温（略３５℃〜略３８℃の範囲内の任意の温度、例えば３７℃）の位置となるように設定してある。
【００４６】
したがって、ハンドル部１０を高温側から低温側に回動して、あらかじめ設定された浴室で使用する最低湯温（略３５℃〜略３８℃の範囲内の任意の温度、例えば３７℃）までは、弁部２６により弁孔部１９が閉じられていないので、水と湯の混合割合は湯が４０℃の場合より次第に少なくなって次第に低温となり、浴室内において、４０℃の適温付近における好みの湯温に調整して使用者にとっても適温の湯水を吐出する。
【００４７】
この４０℃の適温付近における好みの湯温に調整して浴室で使用する場合、前述のあらかじめ設定してある浴室で使用する最低湯温（略３５℃〜略３８℃の範囲内の任意の温度、例えば３７℃）では冷たいと感じるので、利用者は、上記あらかじめ設定してある浴室で使用する最低湯温よりも高い湯温領域でハンドル部１０を操作することになる。
【００４８】
このように通常の浴室内における湯水の使用の際は、あらかじめ設定してある浴室で使用する最低湯温である略３５℃〜略３８℃の範囲内の任意の温度（例えば３７℃）よりも高い湯温で使用され、弁部２６が弁孔部１９を閉じておらず湯用弁７は開状態である。
【００４９】
一方、湯水ではなく水を吐出したい場合は、前方に向けて突出するハンドル部１０を略水平な状態から下向きとなるように回動し、あらかじめ設定された浴室で使用する最低湯温（略３５℃〜略３８℃の範囲内の任意の温度、例えば３７℃）をわずかに越えるまで低温側に回動する。
【００５０】
ハンドル部１０を上記のように高温側から低温側に回動して、あらかじめ設定された所定温度（上記あらかじめ設定された浴室で使用する最低湯温（略３５℃〜略３８℃の範囲内の任意の温度、例えば３７℃））となる回動位置に至ると、前述のように、被作動部１３が第２のばね材３４に抗して押されて移動し、同時に軸体３０が押されて第１のばね材３３を圧縮しながら中間移動体２８を押して、弁部２６が弁孔部１９を閉じて湯用弁７は閉となり、これにより弁室１８から混合部１への湯の供給が停止される。
【００５１】
そして、このハンドル部１０があらかじめ設定された所定温度を越えて低温側に更に回動しても、弁作動部１２が被作動部１３を押し続けて、第２のばね材３４、第１のばね材３３を圧縮しながら、湯用弁７の閉状態が継続されるので、出口部６から水のみを出したい場合は、温度設定用回動操作部４を低温側の終端まで回動操作しなくても、あらかじめ設定された所定温度（略３５℃〜略３８℃の範囲内の任意の温度）を越えて低温側に回動するだけで、あらかじめ設定された温度（略３５℃〜略３８℃の範囲内の任意の温度）を低温側に越えると同時に水のみが吐出され、それ以上低温側に回動する必要がないことになる。
【００５２】
例えば、あらかじめ設定された温度が３７℃で、水温が１８℃の場合、ハンドル部１０を低温側に回動操作して３７℃を越えると、３７℃の湯が１８℃に切り換わって１８℃の水のみが吐水されることになる。
【００５３】
これにより出口部６から水のみを出したい場合は、ハンドル部１０を低温側の終端まで回動操作しなくても、あらかじめ設定された所定温度を越えて低温側に回動するだけで、水のみが吐出され、それ以上低温側に回動操作する必要がない。したがって、浴室において水を使用する場合、ハンドル部１０を低温側に回動操作して例えば３０℃の湯、あるいは２５℃の湯が供給されず、不必要に湯が使用されないので、省エネルギー効果に優れ、また、実際に使用する際のハンドル部１０の低温側への回動角度も、低温側の最終回動位置まで回動する必要がないので、回動角度が小さくてすみ、操作性が良くなることになる。
【００５４】
また、上記のようにハンドル部１０を低温側に回動して湯用弁７を閉じ、出口部６から水のみを出している状態で、ハンドル部１０を低温側から高温側に回動し、ハンドル部１０が上記あらかじめ設定してある浴室で使用する最低湯温である略３５℃〜略３８℃の範囲内の任意の温度（例えば３７℃）位置を越えて回動すると、弁作動部１２による被作動部１３の押圧が解除され、圧力受け部４１に給湯管１６側から所定以上の水圧がかかり、図１のように弁体２０を移動して弁部２６が弁孔部１９を開き、湯用弁７が開となる。
【００５５】
上記のような本発明において、温度設定用回動操作部４を、シリンダ８の軸方向の一端部に位置する回動中心部９と、回動中心部９から上記シリンダ８の軸方向と交差し、且つ、シリンダ８の前面よりも前方に突出するハンドル部１０とで構成することで、壁の前方に本発明の湯水混合装置１１を配置した場合であっても、市販の湯水混合のための温調モジュール（温度設定用回動操作部４の回動範囲が一般に３００°と広い）を使用しても、低温側の最終回動位置まで回動する必要がないので、回動角度が小さくてすみ、実際の使用に当たってハンドル部１０が壁に当らないようにできることになる。
【００５６】
また、本実施形態においては、湯用弁７を湯入口部２に設けてあるので、湯用弁７が湯水混合装置１１を構成するユニットに備わっていることになり、装置のコンパクト化が図れることになる。
【００５７】
図４、図５には本発明の他の実施形態が示してある。図４、図５に示す実施形態においては、湯用弁７が、弁室１８内に嵌め込んだ弁装置５０により構成してある。
【００５８】
弁装置５０は、有底筒５１の底部５３に弁孔部１９を設け、有底筒５１内に弁孔部１９を閉塞自在とした弁部２６を移動自在に配置し、弁部２６に一端部を固着したばね受け部５２を弁孔部１９を貫通して突出させ、有底筒５１の底部５３外面とばね受け部５２との間にコイルスプリングよりなるばね材５４を介在して、弁部２６が弁孔部１９を閉じるように構成してある。
【００５９】
上記弁装置５０は弁室１８の開口より嵌め込んで、有底筒５１の開口部に設けたフランジ５５を弁室１８内の段部４９に当接してある。
【００６０】
弁室１８の開口を蓋部材５６により閉塞し、蓋部材５６の内面側には移動自在にダイヤフラム５７を配置し、該ダイヤフラム５７の外周端部と、上記段部４９に当接したフランジ５５との間に外周部に通水部５８を有する筒状スペーサ５９を介在して、筒状スペーサ５９の一端部でダイヤフラム５７の外周部を蓋部材５６の内面部に押圧挟持し、筒状スペーサ５９の他端部でフランジ５５を段部４９に押圧挟持している。
【００６１】
ダイヤフラム５７の外面部の中央には軸６０の一端部が取着してあり、該軸６０が蓋部材５６を移動自在に貫通して蓋部材５６の外方に突出していて、この突出部分が被作動部１３を構成している。また、ダイヤフラム５７の内面部の中央には押圧部６１が突設してある。
【００６２】
この実施形態において上記弁装置５０は、混合部１側から給湯管１６側に湯水が逆流するのを防止するための逆止弁の機能を持つもので、給湯管１６が低圧となって圧力受け部４１にかかる水圧が低くなったり、あるいは、給湯管１６側から圧力受け部４１に水圧がかかっていないときは、ばね材５４により、弁部２６で弁孔部１９を閉じて逆流防止を行うようになっている。
【００６３】
一方、弁部２６の外面側に給湯管１６側から所定以上の水圧がかかっている場合は、上記ばね材５４のばね力に抗して弁部２６を移動して、弁部２６が弁孔部１９を開くようになっている。
【００６４】
また、図４、図５の実施形態では、温度設定用回動操作部４は、シリンダ８の軸方向の一端部に位置する回動中心部９と、回動中心部９から上記シリンダ８の軸方向と交差し、且つ、シリンダ８の前面よりも前方に突出するハンドル部１０とで構成してあり、ハンドル部１０の一側部に弁作動部１２が設けてある。弁作動部１２は回動方向の一面（高温側から低温側に回動する方向において前面となる面）が被作動部１３を押すための傾斜面６２となっている。
【００６５】
本実施形態においても、前述の実施形態と同様に、温度設定用回動操作部４のハンドル部１０を回動中心部９を中心として回動操作することで、水入口部３、湯入口部２から湯水混合装置１１内に流入する水と湯との混合割合を混合割合可変手段５で調整して、湯温調整を行うことができるようになっている。
【００６６】
本実施形態においては、ハンドル部１０を高温側から低温側に向けて回動すると、あるところまで回動すると、弁作動部１２の傾斜面６２が被作動部１３を押し、ダイヤフラム５７の内面部の押圧部６１が弁部２６を押して弁部２６を移動する。ハンドル部１０を回動して傾斜面６２の終端である弁作動部１２の側端面で被作動部１３を押す状態となると、図５のように、弁部２６が弁孔部１９を閉じるのであるが、本実施形態においては、この弁部２６が弁孔部１９を最初に閉じた時点におけるハンドル部１０の位置が、ちょうど、あらかじめ設定された浴室で使用する最低湯温（略３５℃〜略３８℃の範囲内の任意の温度、例えば３７℃）の位置となるように設定してある。
【００６７】
したがって、本実施形態においても、ハンドル部１０を高温側から低温側に回動して、あらかじめ設定された浴室で使用する最低湯温（略３５℃〜略３８℃の範囲内の任意の温度、例えば３７℃）までは、弁部２６により弁孔部１９が閉じられていないので、水と湯の混合割合は湯が４０℃の場合より次第に少なくなって次第に低温となり、浴室内において、４０℃の適温付近における好みの湯温に調整して使用者にとっても適温の湯水を吐出する。
【００６８】
一方、湯水ではなく水を吐出したい場合は、ハンドル部１０を高温側から低温側に回動し、あらかじめ設定された浴室で使用する最低湯温（略３５℃〜略３８℃の範囲内の任意の温度、例えば３７℃）をわずかに越えるまで低温側に回動する。
【００６９】
ハンドル部１０を上記のように高温側から低温側に回動して、あらかじめ設定された所定温度（上記あらかじめ設定された浴室で使用する最低湯温（略３５℃〜略３８℃の範囲内の任意の温度、例えば３７℃））となる回動位置に至ると、弁部２６が弁孔部１９を閉じて湯用弁７は閉となり、これにより混合部１への湯の供給が停止される。
【００７０】
そして、本実施形態においてもハンドル部１０があらかじめ設定された所定温度を越えて低温側に更に回動しても弁作動部１２が被作動部１３を押し続けて、湯用弁７の閉状態を継続するように制御されるので、出口部６から水のみを出したい場合は、温度設定用回動操作部４を低温側の終端まで回動操作しなくても、あらかじめ設定された所定温度（略３５℃〜略３８℃の範囲内の任意の温度）を越えて低温側に回動するだけで、あらかじめ設定された温度（略３５℃〜略３８℃の範囲内の任意の温度）を低温側に越えると同時に水のみが吐出され、それ以上低温側に回動する必要がないことになる。
【００７１】
また、低温側から上記あらかじめ設定された所定温度（略３５℃〜略３８℃の範囲内の任意の温度）を越えて高温側に回動すると、弁作動部１２による被作動部１３の押圧量が所定押圧量より少なくなり、これによりダイヤフラム５７の押圧部６１により押されている弁部２６が給湯管１６側からの水圧によりダイヤフラム５７の押圧部６１を押しながら移動して弁部２６が弁孔部１９から離れて湯用弁７が開となる。弁孔部１９が開くと、給湯管１６側からの水圧によりダイヤフラム５７が押されて移動し、被作動部１３が傾斜面に沿いながら突出量を増していき、更に、ハンドル部１０を高温側に回動すると、傾斜面が被作動部１３から離れるようになっている。
【００７２】
上記したいずれの実施形態においても、温度設定用回動操作部４に弁作動部１２を設けて、該弁作動部１２により被作動部１３を作動して湯用弁７を閉じるようにした例を示したが、必ずしもこれにのみ限定されない。
【００７３】
他の例としては、例えば、湯用弁７を電磁弁により構成し、温度設定用回動操作部４を高温側から低温側に回動した場合、温度設定用回動操作部４があらかじめ設定された所定温度となる回動位置となると、その回動位置を検出するためのセンサあるいはスイッチを設け、これらセンサあるいはスイッチによる回動位置検出信号に基づき、電磁弁よりなる湯用弁７を閉じ、温度設定用回動操作部４をそれ以上高温側から低温側に回動しても電磁弁よりなる湯用弁７の閉状態を維持するように制御し、また、電磁弁よりなる湯用弁７を閉じた状態で、上記温度設定用回動操作部４があらかじめ設定された所定温度となる回動位置を越えて高温側に回動すると、電磁弁よりなる湯用弁７を閉から開となるように制御するようにしてもよい。
【００７４】
また、上記実施形態では湯用弁７を湯入口部２に設けることで、装置のコンパクト化を図っているが、必ずしも、湯用弁７を湯入口部２に設けたもののみに限定されず、湯用弁７を給湯管１６の途中に設けてもよい。
【図面の簡単な説明】
【００７５】
【図１】本発明の湯水混合装置の一実施形態の断面図である。
【図２】同上の湯用弁の閉状態を示す断面図である。
【図３】同上に用いる温度設定用回動操作部の一例を示し、（ａ）は正面図であり、（ｂ）は平面図である。
【図４】本発明の湯水混合装置の一実施形態の断面図である。
【図５】同上の湯用弁の閉状態を示す断面図である。
【符号の説明】
【００７６】
１  混合部
２  湯入口部
３  水入口部
４  温度設定用回動操作部
５  混合割合可変手段
６  出口部
７  湯用弁
８  シリンダ
９  回動中心部
１０  ハンドル部
１２  弁作動部
１３  被作動部
【図１】
2010031946.tif 000003
【図２】
2010031946.tif 000004
【図３】
2010031946.tif 000005
【図４】
2010031946.tif 000006
【図５】
2010031946.tif 000007